(57)【特許請求の範囲】
【請求項１】
ケース１００と、
互いに異なる磁極を持つ二つの第１磁石２４０を有し、前記ケース１００の内部に貫通して回転するように設置される第１回転部材２００と、
互いに異なる磁極を持つ二つの第２磁石３５０を有し、前記第１回転部材２００を包み第１回転部材２００に対して回転するように設置され、モーター（Ａ）から動力を受けて回転する第２回転部材３００と、
前記第２回転部材３００、第１回転部材２００と連結され、前記ケース１００の内部に貫通して回転するように設置されて第２回転部材３００に伝達されるモーター（Ａ）の動力を第１回転部材２００に伝達する動力伝達部材４００と、
を含んで構成され、
前記第２回転部材３００は、慣性板３３０を含む、
ことを特徴とする、動力補助装置。
【請求項２】
前記第１回転部材２００は、
第１回転軸２１０と、前記第１回転軸２１０の一端に固定されるように設置される第１ギア２２０と、前記第１ギア２２０の一端に設置され、前記第１回転軸２１０に固定されるように設置される円筒形状の第１磁石体２３０と、前記第１磁石体２３０の外周面に固定されるように設置されて互いに異なる二つの磁極を持つ第１磁石２４０からなることを特徴とする、請求項１に記載の動力補助装置。
【請求項３】
前記第２回転部材３００は、
第２回転軸３１０と、前記第２回転軸３１０の一端に固定されるように設置される第２ギア３２０と、前記第２ギア３２０の一端に固定されるように設置される円板形状の前記慣性板３３０と、前記慣性板３３０と前記第２ギア３２０との間に設置され、前記第２回転軸３１０に固定されるように設置される円筒形状の第２磁石体３４０と、前記第２磁石体３４０の内周面に固定されるように設置される第２磁石３５０からなることを特徴とする、請求項１に記載の動力補助装置。
【請求項４】
前記動力伝達部材４００は、
第３回転軸４１０と、前記第３回転軸４１０の一端に前記第３回転軸４１０と固定されるように設置される第３ギア４２０と、前記第３ギア４２０の一端に前記第３回転軸４１０と固定されるように設置される第４ギア４３０からなることを特徴とする、請求項１に記載の動力補助装置。
【発明の詳細な説明】
【技術分野】
【０００１】
本発明は、動力補助装置に関し、より詳細にはモーターの動力で回転する第１回転部材、第２回転部材との間に作用する磁気力の助けを受けて、既存の動力装置と対比して、回転数がより維持される動力補助装置に関するものである。
【背景技術】
【０００２】
一般に、動力装置は、火力を利用した熱エネルギー、または電気を利用した電気エネルギーを変換して機械エネルギーを得るようにしたものである。
【０００３】
しかし、火力を利用した熱エネルギー、または電気を利用した電気エネルギーは、機械エネルギー、即ち、動力を得るために持続的な熱エネルギー、電気エネルギーを消費しなければならない問題があった。
【０００４】
このような、エネルギーの消費は、近年省エネ政策により少ないエネルギーを消費しても高い効率のエネルギーを得るために多くの研究がなされてきた。
【０００５】
例えば、韓国登録特許公報第１０−０８７２６３２号にはハイブリッド車両で回生制動（ブレーキ）及び動力補助のためにエネルギー保存タンク内圧縮空気を内燃機関で捨てる無効エネルギーと熱交換することで、等温状態で膨張及び圧縮して、エネルギー保存密度及び効率を顕著に向上させられるようにしたハイブリッド車両用油圧式回生制動（ブレーキ）及び動力補助装置が公開されている。韓国公開特許公報第１０−２００８−００９０２４７号には、外部の力によって回転する入力軸が連結された前端円板と、出力軸が連結された後端円板が両端部に設置された円筒体と、前記円筒体の回転に伴って偏心回転するように前記円筒体の前端及び後端に設置された円板の全面に取り付けられる多数の第１回転部材と、前記第１回転部材とヒンジ結合されて、前記円板の後面に設置された第２回転部材と、前記円筒体に貫通結合した多数の第３回転部材と、前記第１回転部材の回転時に回転半径を制限するように前記円筒体の外側に設置されたガイド部材とで構成されることによって、外部から伝えられた回転数をより増大させて出力を向上させ、回転力が断絶しても一定時間回転力を維持できる動力補助装置が公開されている。
【０００６】
しかし、前記のような技術は、構造が風力エネルギー、または電気エネルギーの依存度が高く、主動力装置に各々独立的に構成されて構造が複雑であるため、設置及びメンテナンスが困難であり耐久性が落ちる問題がある。
【発明の概要】
【発明が解決しようとする課題】
【０００７】
本発明は、このような問題点を解決するためのもので、第１回転部材、第２回転部材との間に作用する磁気力の助けを受けて、既存の動力装置と対比して、回転力がより維持される動力補助装置を提供する。
【０００８】
また、安価で構造が簡単で、耐久性及び経済性に優れた動力補助装置も提供する。
【課題を解決するための手段】
【０００９】
前記目的を達成するための本発明の動力補助装置は、ケースと、互いに異なる磁極を持つ二つの第１磁石を有し、前記ケースの内部に貫通して回転するように設置される第１回転部材と、互いに異なる磁極を持つ二つの第２磁石を有し、前記第１回転部材を包み第１回転部材に対して回転するように設置され、モーターから動力を受けて回転する第２回転部材と、前記第２回転部材及び第１回転部材と連結され、前記ケースの内部に貫通して回転するように設置されて第２回転部材に伝達されるモーターの動力を第１回転部材に伝達する動力伝達部材を含んで構成される。
【００１０】
前記第１回転部材は、第１回転軸と、その第１回転軸の一端に固定されるように設置される第１ギアと、その第１ギアの一端に設置され、第１回転軸に固定されるように設置される円筒形状の第１磁石体と、その第１磁石体の外周面に固定されるように設置されて互いに異なる磁極を持つ二つの第１磁石からなるのが好ましい。
【００１１】
また、前記第２回転部材は、第２回転軸と、その第２回転軸の一端に固定されるように設置される第２ギアと、その第２ギアの一端に固定されるように設置される円板形状の慣性板と、その慣性板と第２ギアとの間に設置され、第２回転軸に固定されるように設置される円筒形状の第２磁石体と、第２磁石体の内周面に固定されるように設置される第２磁石からなるのが好ましい。
【００１２】
また、前記動力伝達部材は、第３回転軸と、その第３回転軸の一端に第３回転軸と固定されるように設置される第３ギアと、その第３ギアの一端に第３回転軸と固定されるように設置される第４ギアからなるのが好ましい。
【発明の効果】
【００１３】
前記解決手段による本発明は、第１回転部材と第２回転部材との間に作用する磁気力の助けを受けて、既存の動力装置と対比して、回転数がより維持される効果がある。
【００１４】
また、安価で構造が簡単で、耐久性及び経済性に優れた効果もある。
【図面の簡単な説明】
【００１５】
【図１】本発明の動力補助装置の斜視図である。
【図２】本発明の動力補助装置の平断面図である。
【図３】本発明の動力補助装置の側断面図である。
【発明を実施するための形態】
【００１６】
本発明の動力補助装置は、互いに相互作用する斥力と引力の磁気力の助けを受けて回転数を円滑にするために、第１磁石、第２磁石共に回転運動できるように形成して、磁気力と質量が大きい磁石が、磁気力と質量が小さい磁石より回転運動速度が速くなるように機構学的に形成して、第１磁石、第２磁石共に同一方向に回転可能にする。
【００１７】
以下、本発明の好ましい実施形態を、添付図面を参照して詳細に説明する。
【００１８】
図１は、本発明の動力補助装置の斜視図、図２は、本発明の動力補助装置の平断面図、図３は、本発明の動力補助装置の側断面図を示した図面である。
【００１９】
図１〜図３に示したように、本発明の動力補助装置は、ケース１００、第１回転部材２００、第２回転部材３００、及び動力伝達部材４００からなる。
【００２０】
前記ケース１００は、内部に空いた空間を持つ構造を持ち、非伝導体の材質からなるのが好ましい。
【００２１】
前記第１回転部材２００は、互いに異なる磁極を持つ二つの第１磁石２４０を有し前記ケース１００の内部に貫通して回転するように設置される。
【００２２】
このような第１回転部材２００は、第１回転軸２１０、第１ギア２２０、第１磁石体２３０、及び第１磁石２４０を備える。
【００２３】
前記第１回転軸２１０は、長さを持つ原形棒形状で前記ケース１００の内部に貫通して回転するように設置される。
【００２４】
前記第１ギア２２０は、第１回転軸２１０の一端に固定されるように設置され、後述する動力伝達部材４００の第４ギア４３０と噛み合うように設置されて第４ギア４３０の回転運動エネルギーの伝達を受けて第１回転軸２１０と共に回転運動される。
【００２５】
前記第１磁石体２３０は、第１ギア２２０の一端に設置され、第１回転軸２１０に固定されるように設置されて円筒形状を持つ。
【００２６】
前記第１磁石２４０は、互いに異なる磁極を持つ二つの弧形状で第１磁石体２３０の外周面に固定されるように設置される。
【００２７】
前記第２回転部材３００は、互いに異なる磁極を持つ二つの第２磁石３５０を有し、前記第１回転部材２００を包み第１回転部材２００に対して回転するように設置され、外部から電力を得るモーター（Ａ）から動力を受けて回転するように設置される。
【００２８】
このような第２回転部材３００は、第２回転軸３１０、第２ギア３２０、慣性板３３０、第２磁石体３４０、及び第２磁石３５０を備える。
【００２９】
前記第２回転軸３１０は長さを持つ円筒形状で前記第１回転軸２１０を包むように設置されて第１回転軸２１０に対して回転可能に設置される。
【００３０】
前記第２ギア３２０は、第２回転軸３１０の一端に固定されるように設置され、前記第１回転軸２１０が貫通するように設置されて第１回転軸２１０に対して回転可能に設置される。
【００３１】
この時、第２ギア３２０は、前記第１ギア２２０より径を小さくすることが好ましい。
【００３２】
前記慣性板３３０は、第２ギア３２０の一端に固定されるように設置されて円板形状で前記第１回転軸２１０が貫通するように設置されて第１回転軸２１０に対して回転可能に設置される。
【００３３】
前記第２磁石体３４０は、円筒形状で慣性板３３０と第２ギア３２０との間に設置され、第１磁石体２３０及び第１回転軸２１０を包むように第２回転軸３１０に固定されるように設置されて第１磁石体２３０及び第１回転軸２１０に対して回転可能に設置される。
【００３４】
前記第２磁石３５０は、互いに異なる磁極を持つ二つの弧形状で第２磁石体３４０の内周面に固定されるように設置される。
【００３５】
前記動力伝達部材４００は、第２回転部材３００及び第１回転部材２００と連結され、前記ケース１００の内部に貫通して回転するように設置されて第２回転部材３００に伝達されるモーター（Ａ）の動力を第１回転部材２００に伝達するように設置される。
【００３６】
このような動力伝達部材４００は、第３回転軸４１０、第３ギア４２０、及び第４ギア４３０を備える。
【００３７】
前記第３回転軸４１０は、長さを持つ原形棒形状で前記ケース１００の内部に貫通して回転するように設置される。
【００３８】
前記第３ギア４２０は、第３回転軸４１０の一端に第２ギア３２０と噛み合うように固定設置されてモーター（Ａ）から動力を受け、回転する第２ギア３２０と共に回転する。
【００３９】
前記第４ギア４３０は、第３ギア４２０の一端に第１ギア２２０と噛み合うように固定設置されてモーター（Ａ）から動力を受け、回転する第２ギア３２０と共に回転することによって回転運動エネルギーを第１ギア２２０に伝達する。
【００４０】
このような本発明の作動方法を調べると、外部から電力の伝達を受けたモーター（Ａ）の回転によって第２回転部材３００が回転運動を開始すると、第２回転部材３００、第１回転部材２００と連結されるように設置された動力伝達部材４００を介して第１回転部材２００が第２回転部材３００と時間差を置いて同じ方向に回転運動をすることになる。
【００４１】
前記動力伝達過程において、第２回転部材３００と第１回転部材２００が動作する過程は、モーター（Ａ）により第２回転軸３１０と直結したギア比１の第２ギア３２０を回転させ、第２磁石体３４０の内周面に付いた第２磁石３５０を回転方向により速く回転させる。第１回転軸２１０と直結したギア比２（第２ギア、対比）以上の第１ギア２２０により第１磁石体２３０の外周面に付いた第１磁石２４０を同じ方向にゆっくり回転させるために、第２ギア３２０と噛み合う第３回転軸４１０と一体で回転するギア比２（第２ギア、対比）以上の第３ギア４２０がギアの回転方向特性に応じて回転反対方向に回転する。また、一体で回転した第４ギア４３０と第１ギア２２０を１：１の速度比で噛み合わせて第２ギア３２０と同じ方向に回転するようにする。
【００４２】
すると、第２回転部材３００の第２ギア３２０と第１回転部材２００の第１ギア２２０が相互速度比（２：１以上、または初期相互位相角では９０度以内）だけ回転方向に回転をするようにして、第２回転部材３００の第２磁石３５０と第１回転部材２００の第１磁石２４０が時間差を置いて同じ方向に回転する。結果的に、第１磁石体２３０の外周面に付いた第１磁石２４０を第２磁石３５０と同じ方向にゆっくり回転させるようにする方法で、磁気力と質量が大きい第２磁石３５０の速い回転に対して磁気力と質量が小さい第１磁石２４０をゆっくり回転させ、斥力と引力が反転する時各磁気力の強弱に変化が起きるように誘導する。相互回転運動を妨げる斥力と引力が一部生じてもこれらに勝る回転を継続しようとする慣性で回転数がより維持される。
【００４３】
この時、第１回転部材２００と第２回転部材３００との間に相互発生する斥力と引力を調べると、磁気力と質量が大きい第２磁石３５０の互いに異なるＮＳ極が回転すると、時間差を置いてゆっくり回転する磁気力と、質量が小さい第１磁石２４０の互いに異なるＮＳ極と出会って斥力と引力が繰り返し作用する時、第２磁石３５０の各極と第１磁石２４０の各極の位置が時間によって変化し、例えば一方が固定された状態で他方が回転運動する時発生した斥力と引力に比べて作用時間が長くなる。続いて磁気力と質量がより大きい第２磁石３５０の各極が相互同じ極で後方から近づいて斥力で進行を妨げる力と、異なる極の時引力によって前方に先に進行するのを妨げる力も、どちらか一方が固定された時より小さくなり、運動の法則により、回転速度が速い側が、質量がより大きくなったのと同じように慣性がより大きくなって、回転速度が遅い側に勝るか引っ張る力が有利に現れる。ここで、回転速度が速い側が磁気力の大きさが大きく質量が大きいなら、小さい側より押したり引っ張ったりする力も大きくなる。
【００４４】
磁気力と質量が大きく、回転運動速度が速い第２磁石３５０のＮ（Ｓ）極が、磁気力と質量が小さく、回転運動速度が遅い第１磁石２４０のＮ（Ｓ）極と同じ極で出会う前に、第２磁石３５０が遅れた位置で斥力により進路が妨げられる場合は、第２磁石３５０の速い回転慣性に力づけられて、大きい磁気力と質量で、回転運動速度が遅い第１磁石２４０の小さい磁気力（斥力）と質量を押して勝り、同じ極で出会った以後には、第１磁石２４０の小さい斥力の作用と第２磁石３５０の大きい斥力の反作用、及び速い回転慣性で回転をするようになり、たとえ相互斥力による回転運動進行に一部妨げになっても機構学的に連結された第１磁石２４０は、ゆっくり付いて行きながら斥力を作用して、第２磁石３５０の回転を持続させようとする。
【００４５】
また、前記とは違って、磁気力と質量が大きく、回転運動速度が速い第２磁石３５０のＮ（Ｓ）極が、磁気力と質量が小さく、回転運動速度が遅い第１磁石２４０のＳ（Ｎ）極と異なる極で出会う前には、第２磁石３５０が遅れた位置で大きい引力で第１磁石２４０を回転反対方向に引っ張ろうとする進路が妨げられる場合は、第２磁石３５０の速い回転慣性に力づけられて、大きい磁気力と質量で回転運動速度が遅い第１磁石２４０が付いてこようとする力を受ける間に、予め小さい磁気力と質量を引っ張って行き過ぎて、異なる極で出会った以後には、第１磁石２４０の小さい引力の作用を第２磁石３５０の大きい引力の反作用及び速い回転慣性に導き、同様に相互引力による回転運動進行に一部妨げになっても機構学的に連結された第１磁石２４０は、ゆっくりついて行って第２磁石３５０の回転を持続させようとする。
【００４６】
即ち、第２磁石３５０のＮ極が第１磁石２４０のＮ極と出会う前には引力が発生するが、この時は回転速度が速く、磁気力と質量が大きい第２磁石３５０が、速い回転速度による慣性で回転速度が遅く、磁気力と質量が小さい第１磁石２４０を追い越すと、この時から第１磁石２４０のＮ極から斥力を受けてさらに回転して、第１磁石２４０のＳ極と出会う時まで回転することになる。
【００４７】
この時、第１磁石２４０のＳ極もゆっくり回転しているため、第２磁石３５０のＮ極は、第１磁石２４０のＳ極の小さい引力に勝る、回転速度が速くて磁気力と質量が大きい第２磁石３５０のＮ極の引力で第１磁石２４０のＳ極を引っ張って回転することになる。
【００４８】
即ち、前記のような構造（第２磁石と第１磁石が同じ方向に時間差を置いて回転するようになる構造）を形成して、引力抵抗が減少すると、斥力作用区間が長くなって、公示された構造より、回転数がより維持される。
【００４９】
このような本発明は、第１回転部材と第２回転部材との間に作用する磁気力の助けを受けて、既存の動力装置と対比して、回転数をより維持する効果がある。
【産業上の利用可能性】
【００５０】
本発明によって、第１回転部材と第２回転部材との間に作用する磁気力の助けを受けて、既存の動力装置と対比して、回転数がより維持される動力補助装置を提供する。
【００５１】
また、安価で構造が簡単で、耐久性及び経済性に優れた動力補助装置も提供する。
【符号の説明】
【００５２】
１００    ケース
２００、３００    回転部材
２１０、３１０、４１０    回転軸
２２０、３２０、４２０、４３０    ギア
２３０、３４０    磁石体
２４０、３５０    磁石
３３０    慣性板
４００    動力伝達部材
【図１】
0005869148.tif 000002
【図２】
0005869148.tif 000003
【図３】
0005869148.tif 000004